(57)【要約】      （修正有）【課題】布帛への画像の出力の際、インクジェット方式のように、布帛の凹凸をなくすための複雑な調整をなくすことができる電子写真方式を利用した捺染装置の提供。【解決手段】画像を形成する画像形成手段と、画像を転写する布帛２００と、該布帛２００に画像を転写する転写部３００と、布帛２００に転写された画像を定着する定着部４００とを有し、布帛２００に画像を転写するときには、転写部３００を介して、画像形成手段に布帛２００を接触させる。【選択図】図１
2013182087.tif 000002
【特許請求の範囲】
【請求項１】
画像を形成する画像形成部と、画像を転写する布帛と、該布帛に画像を転写する転写部と、布帛に転写された画像を定着する定着部とを有し、
前記布帛に画像を転写するときには、前記転写部を介して、前記画像形成部に前記布帛を接触させることを特徴とする電子写真方式を利用した捺染装置。
【請求項２】
前記画像形成部は搬送部に配置され、
前記搬送部は、前記布帛を搬送するベルトと、該ベルトを張架する二つのローラとからなり、
前記転写部側に前記布帛を送る側の一方の前記ローラ側には、前記ベルトを介して前記布帛を静電吸着する吸着手段が設けられ、
前記布帛を前記定着部に送る側の他方の前記ローラ側には、画像が転写された前記布帛に作用している帯電を除電する除電手段が設けられていることを特徴とする請求項１記載の電子写真方式を利用した捺染装置。
【請求項３】
前記定着部は、張りを持たせた状態で前記布帛を繰出すことを特徴とする請求項１または２記載の電子写真方式を利用した捺染装置。
【発明の詳細な説明】
【技術分野】
【０００１】
本発明は、電子写真方式を適用した捺染装置に関するものである。
【背景技術】
【０００２】
捺染装置として、特許文献１、２がある。これら特許文献の構成は、特許文献１の図２および特許文献２の図１に示すように、予め、布帛が巻きつけられた巻付けローラと、巻付けローラから繰出された布帛を巻き取る巻取りローラとにより、布帛をインクジェットヘッドに搬送して、布帛にインクを吐出して、布帛に画像を形成する、いわゆるインクジェット方式によるものである。
【特許文献１】特開平７−１０１１２１号公報
【特許文献２】特開２００９−２３５５８８号公報
【発明の開示】
【発明が解決しようとする課題】
【０００３】
これら特許文献の構成は、インクを布帛に吐出する構成であるため、インクジェットヘッドと布帛との間に隙間が必要となる。また、布帛に皺等の凹凸がある状態で画像を形成した場合、色むらや歪んだ画像が布帛に出力されてしまい、品質の低下が生じてしまうという問題があった。
【０００４】
このため、特許文献２の図３に示すように、凹凸が生じないように布帛を均一に引っ張る必要があった。特に、布帛が幅広の場合は、巻付けローラおよび巻付けローラが長くなり、巻付けローラおよび巻付けローラの撓み、巻付けローラおよび巻付けローラの搬送時に生じる布帛の伸縮、特許文献２の図３に示すための調整が難しいものであった。
【課題を解決するための手段】
【０００５】
上記の問題を解決するために、本発明は、請求項１の発明では、画像を形成する画像形成手段と、画像を転写する布帛と、該布帛に画像を転写する転写部と、布帛に転写された画像を定着する定着部とを有し、布帛に画像を転写するときには、転写部を介して、画像形成手段に布帛を接触させることを特徴とする。
【０００６】
また、請求項２記載の発明は、画像形成手段は搬送部に配置され、搬送部は、布帛を搬送するベルトと、該ベルトを張架する二つのローラとからなり、転写部側に布帛を送る側の一方のローラ側には、ベルトを介して布帛を静電吸着する吸着手段が設けられ、布帛を定着部に送る側の他方のローラ側には、画像が転写された布帛に作用している帯電を除電する除電手段が設けられていることを特徴とする。さらに、請求項３記載の発明は、定着部は、張りを持たせた状態で前記布帛を繰出すことを特徴とする。
【発明の効果】
【０００７】
本発明は、布帛への画像の出力を、転写部を介して、画像形成手段に布帛を接触させる構成としたため、インクジェット方式のように、布帛の凹凸をなくすための複雑な調整をなくすことができる。
【０００８】
また、吸着手段を設けたことにより、布帛の搬送を静電吸着搬送で行うことができる。この静電吸着搬送により、布帛下面が搬送部のベルト上面に吸着した状態となり、さらに、布帛の凹凸をなくすための複雑な調整をなくすことができる。
【０００９】
定着部を主として、布帛の繰出し調整を行う構成としたため、簡単に、張りを持たせた状態で前記布帛を繰出すことができる。
【図面の簡単な説明】
【００１０】
【図１】本発明の給紙装置に適用する画像形成装置の概略図。
【発明を実施するための最良の形態】
【００１１】
以下、本発明の実施の形態を図面に基づいて説明する。図１に、本発明の電子写真方式を利用した捺染装置の概略図を示す。この装置は、画像形成手段と、定着部４００と、繰出部Ａと、巻取部Ｂと、搬送部５００と、転写部３００と、吸着手段６００と、除電手段７００とからなる。
【００１２】
画像形成手段は、布帛２００に画像を転写するものであり、各色に対応した画像形成部１００と、これら画像形成部１００に対応した第一転写部１７０と、トナー像搬送部１８０とからなる。
【００１３】
画像形成部１００は、上から順に、イエローＹ、マゼンタＭ、シアンＣ、ブラックＢＫが並列に配置されている。像担持体１１０の周囲に、像担持体１１０上の残留電荷を除去する除電手段１２０と、像担持体１１０の表面を特定極性に帯電する帯電手段１３０、帯電された像担持体１１０の静電潜像を形成する露光手段１４０と、像担持体１１０の表面に形成された静電潜像をトナーにより現像する現像装置１５０とからなる。
【００１４】
各色のトナーの供給はトナーカートリッジ１６０により行われる。なお、この実施の形態では、各色の混色が生じたとしても、余り目立たないようにするために、転写材の搬送方向の順に、垂直に、イエローＹ、マゼンタＭ、シアンＣ、ブラックＢＫ順に配置されているが、これに限定されることはなく、ブラックＢＫ、シアンＣ、マゼンタＭ、イエローＹとしてもよい。
【００１５】
トナー像搬送部１８０は、各画像形成部１００で一次転写されたトナー像を、布帛２００側に搬送するものである。トナー像搬送部１８０は、ループ状のベルト１８１（無端ベルト）と、駆動ユニット１８２と、従動ローラ１８３と、当接ローラ８００とからなる。
【００１６】
駆動ユニット１８２と従動ローラ１８３と当接ローラ８００によって、ベルト１８１は、張力がかかった状態で掛け渡されている。駆動ユニット１８２は、二つのローラからなる。当接ローラ８００は、駆動ユニット１８２の二つのローラ間に設けられ、ベルト１８１に一次転写されたトナー像が布帛２００に転写されやすいように、転写部３００側に突出している。
【００１７】
定着部４００は、布帛２００に転写された画像を定着するものであり、一対のローラからなる。定着部４００は、一定の速度で回転するとともに、一対のローラのグリップ力（Ｆ）で布帛２００を巻き取る方向に引っ張る。
【００１８】
繰出部Ａは、ロール状に巻かれた布帛２００を繰出すものである。繰出部Ａは、定着部４００の布帛２００の引っ張り力が一定となるように構成されている。具体的には、搬送される布帛２００に強いテンションが作用し、繰出部Ａに、一対のローラのグリップ力（Ｆ）よりも強い力（Ｆ１）が加わるようになると、繰出部Ａの布帛２００の繰出し量（速度）を多く（速く）することにより、布帛２００の引っ張り力を一対のローラのグリップ力（Ｆ）となるように構成されている。
【００１９】
巻取部Ｂは、画像が定着された布帛２００を巻き戻すものである。また、繰出部Ａと同様に、巻取部Ｂも、定着部４００の布帛２００の引っ張り力が一定となるように構成されている。この場合、巻き戻される布帛２００に強いテンションが作用し、一対のローラのグリップ力（Ｆ）よりも強い力（Ｆ２）が加わるようになると、繰出部Ａの布帛２００の巻戻し量（速度）を少なく（遅く）することにより、布帛２００の繰出部Ａの布帛２００の巻戻し力を一対のローラのグリップ力（Ｆ）となるように構成されている。このように、布帛２００の搬送は、定着部４００のグリップ力、搬送速度を基準として、繰出部Ａおよび巻取部Ｂの調整が行われている。
【００２０】
搬送部５００は、繰出部Ａから繰出された布帛２００を、転写部３００および定着部４００に搬送するものである。搬送部５００は、ループ状のベルト５１０（無端ベルト）と、駆動ユニット５２０と、従動ローラ５３０とからなる。搬送部５００は、駆動ユニット５２０と従動ローラ５３０とにより、ベルト５１０に張力が張った状態で架け渡されている。
【００２１】
駆動ユニット５２０は、二つのローラ（５２１、５２２）からなり、一方のローラ５２１側には後に述べる吸着手段６００が設けられている。吸着手段６００は、所定の電圧で印加して、布帛２００を搬送部５００のベルト５１０に吸着するものであり、布帛２００の皺を延ばす働きをする。
【００２２】
これにより、ベルト５１０に搬送された布帛２００に僅かな皺があったとしても、当接ローラ８００と後に述べる転写部３００とにより押圧することにより、皺をなくした状態で、布帛２００に画像を転写することができる。
【００２３】
ベルト５１０内には、トナー像搬送部１８０に転写されたトナー像を布帛２００に転写する転写部３００が設けられている。転写部３００は、ローラ体３１０と、このローラ体３１０を支持し、トナー像を布帛２００に転写するときのみ、布帛２００をトナー像搬送部１８０に接触させるローラ体支持機構３２０とからなる。
【００２４】
除電手段７００は、画像が転写された布帛２００が定着部４００に搬送される際に、ベルト５１０から布帛２００が分離しやすいようにするとともに、この画像が壊れないように除電を行うものである。
【００２５】
除電手段７００は、コロナ帯電器であり、コロナワイヤ７１０とコロナワイヤ７１０を覆うコロナハウス７２０とからなり、所定のバイアスが印加されている。また、除電手段７００は、ベルト５１０に吸着した布帛２００が分離する部分、つまり、従動ローラ５３０の上方に配置されている。
【００２６】
以上のような構成にすることにより、インクジェット方式のように、布帛２００の凹凸をなくすための複雑な調整をなくして、布帛２００に画像を転写することができる。
【符号の説明】
【００２７】
１００  画像形成部
２００  布帛
３００  転写部
４００  定着部
５００  搬送部
６００  吸着手段
７００  除電手段
【図１】
2013182087.tif 000003